(57)【要約】【課題】本発明は、外部表示装置を併用する際のユーザの手間を軽減することのできる撮像装置を提供することを目的とする。また、本発明は、操作性の高い撮像システムを提供することを目的とする。【解決手段】本発明の撮像装置は、画像を表示可能な表示部と、被写体を撮像して被写体画像を取得する撮像部と、外部表示装置を接続し、その外部表示装置へ画像を送出可能な送出部と、ユーザの指示に応じて前記表示部、前記撮像部、前記送出部を制御する制御部とを備え、前記制御部は、前記送出部に対する前記外部表示装置の接続状態に応じて（ステップＳ１２）前記制御の内容を変化させる（ステップＳ１３，Ｓ１４）ことを特徴とする。【選択図】      図３
2008034908.tif 000002
【特許請求の範囲】
【請求項１】
画像を表示可能な表示部と、
被写体を撮像して被写体画像を取得する撮像部と、
外部表示装置を接続し、その外部表示装置へ画像を送出可能な送出部と、
ユーザの指示に応じて前記表示部、前記撮像部、前記送出部を制御する制御部とを備え、
前記制御部は、
前記送出部に対する前記外部表示装置の接続状態に応じて前記制御の内容を変化させる
ことを特徴とする撮像装置。
【請求項２】
請求項１に記載の撮像装置において、
前記制御部は、
前記送出部に前記外部表示装置が接続されていない期間には、前記被写体画像の表示先と非被写体画像の表示先とを共に前記表示部へ割り当て、
前記送出部に前記外部表示装置が接続されている期間には、前記被写体画像の表示先と前記非被写体画像の表示先とを、前記外部表示装置及び前記表示部の一方と他方とへ個別に割り当てる
ことを特徴とする撮像装置。
【請求項３】
請求項２に記載の撮像装置において、
前記被写体画像は、
現在の前記被写体の様子をリアルタイムで表すスルー画像であり、
前記非被写体画像は、
前記撮像部の設定内容を示す画像である
ことを特徴とする撮像装置。
【請求項４】
請求項２に記載の撮像装置において、
前記被写体画像は、
過去の前記被写体の様子を表す再生画像であり、
前記非被写体画像は、
前記再生画像の添付情報を示す画像である
ことを特徴とする撮像装置。
【請求項５】
請求項１又は請求項２に記載の撮像装置において、
前記撮像部は、
近接した前記被写体を撮像する接写モードと非接写モードとの間で切り替えが可能であり、
前記制御部は、
前記撮像部が非接写モードに設定されているときであっても、前記送出部に前記外部表示装置が接続されると、前記撮像部を自動的に接写モードへ移行させる
ことを特徴とする撮像装置。
【請求項６】
請求項５に記載の撮像装置において、
前記近接した被写体から前記撮像部までの距離を固定するスペーサの取付部を更に備えた
ことを特徴とする撮像装置。
【請求項７】
請求項１〜請求項６の何れか一項に記載の撮像装置において、
前記送出部に対する前記外部表示装置の接続状態には、
前記撮像装置と前記外部表示装置との相対位置が固定される直接接続があり、
前記制御部は、
前記撮像装置が撮影モードに設定されているときであっても、前記送出部に前記外部表示装置が前記直接接続で接続されると、前記撮像装置を自動的に非撮影モードへ移行させる
ことを特徴とする撮像装置。
【請求項８】
請求項１〜請求項７の何れか一項に記載の撮像装置と、
前記ユーザの頭部へ装着可能であり、かつ前記撮像装置の前記送出部へ接続可能な表示装置と、
を備えたことを特徴とする撮像システム。
【発明の詳細な説明】
【技術分野】
【０００１】
本発明は、ディジタルカメラやビデオカメラなどの表示部を備えた撮像装置に関する。また、本発明は、撮像装置と表示装置とからなる撮像システムに関する。
【背景技術】
【０００２】
一般的なディジタルカメラやビデオカメラには液晶表示素子（ＬＣＤ）が設けられているので、被写体の様子をリアルタイムに表す画像（スルー画像）を表示させておけば、ユーザはカメラから眼を離したまま構図を確認することがきる。但し、カメラを身体から離し過ぎたり角度を傾け過ぎたりすると、ＬＣＤが見え難くなる。このような場合、頭部装着型ディスプレイ（以下、「ＨＭＤ」と称す。）が有効である。
【０００３】
特許文献１には、カメラにＨＭＤを接続し、それをファインダ代わりに使用する例が開示されている。この使用形態によると、カメラの位置や姿勢に制約が無くなり、構図の自由度が高まる。
【特許文献１】特開平９−１８７５６号公報
【発明の開示】
【発明が解決しようとする課題】
【０００４】
しかし、一般のＨＭＤはカメラに専用の機器ではないため、それを正しく機能させるためには、ＨＭＤ又はカメラの設定をユーザが詳細に行う必要がある。
そこで本発明は、外部表示装置を併用する際のユーザの手間を軽減することのできる撮像装置を提供することを目的とする。また、本発明は、操作性の高い撮像システムを提供することを目的とする。
【課題を解決するための手段】
【０００５】
本発明の撮像装置は、画像を表示可能な表示部と、被写体を撮像して被写体画像を取得する撮像部と、外部表示装置を接続し、その外部表示装置へ画像を送出可能な送出部と、ユーザの指示に応じて前記表示部、前記撮像部、前記送出部を制御する制御部とを備え、前記制御部は、前記送出部に対する前記外部表示装置の接続状態に応じて前記制御の内容を変化させることを特徴とする。
【０００６】
なお、前記制御部は、前記送出部に前記外部表示装置が接続されていない期間には、前記被写体画像の表示先と非被写体画像の表示先とを共に前記表示部へ割り当て、前記送出部に前記外部表示装置が接続されている期間には、前記被写体画像の表示先と前記非被写体画像の表示先とを、前記外部表示装置及び前記表示部の一方と他方とへ個別に割り当ててもよい。
【０００７】
また、前記被写体画像は、現在の前記被写体の様子をリアルタイムで表すスルー画像であり、前記非被写体画像は、前記撮像部の設定内容を示す画像であってもよい。
また、前記被写体画像は、過去の前記被写体の様子を表す再生画像であり、前記非被写体画像は、前記再生画像の添付情報を示す画像であってもよい。
また、前記撮像部は、近接した前記被写体を撮像する接写モードと非接写モードとの間で切り替えが可能であり、前記制御部は、前記撮像部が非接写モードに設定されているときであっても、前記送出部に前記外部表示装置が接続されると、前記撮像部を自動的に接写モードへ移行させてもよい。
【０００８】
また、本発明の何れかの撮像装置は、前記近接した被写体から前記撮像部までの距離を固定するスペーサの取付部を更に備えてもよい。
また、前記送出部に対する前記外部表示装置の接続状態には、前記撮像装置と前記外部表示装置との相対位置が固定される直接接続があり、前記制御部は、前記撮像装置が撮影モードに設定されているときであっても、前記送出部に前記外部表示装置が前記直接接続で接続されると、前記撮像装置を自動的に非撮影モードへ移行させてもよい。
【０００９】
また、本発明の撮像システムは、本発明の何れかの撮像装置と、前記ユーザの頭部へ装着可能であり、かつ前記撮像装置の前記送出部へ接続可能な表示装置とを備えたことを特徴とする。
【発明の効果】
【００１０】
本発明によれば、外部表示装置を併用する際のユーザの手間を軽減することのできる撮像装置が実現する。また、本発明は、操作性の高い撮像システムが実現する。
【発明を実施するための最良の形態】
【００１１】
［第１実施形態］
本発明の第１実施形態を説明する。本実施形態は、撮像システムの実施形態である。
先ず、本システムの構成を説明する。
図１は、本システムの全体構成図である。図１に示すとおり、本システムには、ＨＭＤ１００とディジタルカメラ２００とが備えられ、両者はケーブル３００によって接続可能である。
【００１２】
ＨＭＤ１００には、左右のヘッドホン１０２Ｌ，１０２Ｒと、それらヘッドホン１０２Ｌ，１０２Ｒを支持するヘッドバンド１０３と、左のヘッドホン１０２Ｌに連結されたサイドアーム１０４と、サイドアーム１０４の先端に固定された表示ユニット１０１とが備えられる。このＨＭＤ１００がユーザの頭部に装着されると、ヘッドバンド１０３の弾性力で左右のヘッドホン１０２Ｌ，１０２Ｒがユーザの左右の耳へ押し当てられ、これによってＨＭＤ１００の全体がユーザの頭部へ固定される。この状態で表示ユニット１０１がユーザの左眼（観察眼）の前に位置する。
【００１３】
ディジタルカメラ２００には、モード切り替え釦、レリーズ釦、マルチセレクタなどの操作釦２０１と、ＬＣＤパネル２０３とが設けられる（ＬＣＤパネル２０３は、ＬＣＤ、バックライトなどからなる。）。ユーザは、操作釦２０１を操作することにより、ディジタルカメラ２００に各種の情報を入力することができる。ユーザが入力できる情報は、例えば、ディジタルカメラ２００のモード切り替えの指示、撮影条件の指定、撮影指示などである。
【００１４】
図２は、本システムの機能ブロック図である。図２に示すとおり、ＨＭＤ１００の表示ユニット１０１の内部には、バックライト１０１Ｂと、バックライト１０１Ｂにより照明されるＬＣＤ１０１Ｄと、ＬＣＤ１０１Ｄからの射出光束を偏向するミラー１０１Ｍと、ミラー１０１Ｍからの射出光束を観察眼へ入射させるレンズ１０１Ｌとが配置される。
ＨＭＤ１００の右のヘッドホン１０２Ｒには、右音声を出力するスピーカ１０２ＲＳが配置される。ＨＭＤ１００の左のヘッドホン１０２Ｌには、左音声を出力するスピーカ１０２ＬＳが配置されると共に、ＬＣＤ１０１Ｄを駆動するためのＬＣＤ駆動回路１０２２と、バックライト１０１Ｂを駆動するためのバックライト駆動回路１０２３と、ＨＭＤ１００の各部を制御するＣＰＵ１０２１とが配置される。また、ＨＭＤ１００の各部は、前述したケーブル３００と電気的に接続されている。
【００１５】
ケーブル３００は、オーディオ信号を伝送するオーディオ線（Ａ）と、ビデオ信号を伝送するビデオ線（Ｖ）と、制御信号を伝送する制御線（Ｓ）とを束ねたＡＶケーブルであり、その先端に外部再生装置（ここではディジタルカメラ２００）との接続を図るコネクタ３０１が設けられている。
ケーブル３００からＨＭＤ１００へ入力されるビデオ信号は、ＬＣＤ駆動回路１０２２へ与えられ、そのビデオ信号に応じてＬＣＤ駆動回路１０２２がＬＣＤ１０１Ｄに映像を表示させる。また、ケーブル３００からＨＭＤ１００へ入力されるオーディオ信号は、ＨＭＤ１００の内部で左音声信号と右音声信号とに分離され、それぞれスピーカ１０２ＬＳ，１０２ＲＳへ与えられる。これによってスピーカ１０２ＬＳ，１０２ＲＳから左音声と右音声とが個別に出力される。また、ケーブル３００からＨＭＤ１００へ入力される制御信号は、ＣＰＵ１０２１へ与えられる。
【００１６】
ディジタルカメラ２００の外装には、コネクタ２１１が設けられる。コネクタ２１１は、ケーブル３００のコネクタ３０１に適合する。ディジタルカメラ２００の内部には、被写体光束を捉えて被写体像を形成する撮影レンズ２０４と、その被写体像を撮像して画像信号を生成する撮像素子２０５と、撮像素子２０５から出力される画像信号をＡ／Ｄ変換するＡ／Ｄ変換器２０６と、Ａ／Ｄ変換後の画像信号を一時的に格納するフレームメモリ２０７と、撮影レンズ２０４や撮像素子２０５など撮影に関係する要素を駆動する撮像部２１０と、多数の画像ファイルを格納するフラッシュメモリ２０９と、コネクタ２１１に対する外部表示装置（ここではＨＭＤ１００）の接続の有無を検出するセンサ２１２と、操作釦２０１から入力される情報に応じて各部を制御するＣＰＵ２０２と、ＣＰＵ２０２の作業に用いられるＲＡＭ２０８とが備えられる。
【００１７】
ＣＰＵ２０２は、ディジタルカメラ２００の各部を制御する他、ビデオ信号を生成してコネクタ２１１のビデオ線（Ｖ）へ送出したり、制御信号を生成してコネクタ２１１の制御線（Ｓ）へ送出したりすることもできる。また、前述した画像ファイルに音声情報が含まれている場合、ＣＰＵ２０２は、オーディオ信号を生成してコネクタ２１１のオーディオ線（Ａ）へ送出することもできる。但し、以下では簡単のため、ディジタルカメラ２００から送出される信号を、ビデオ信号のみとする。
【００１８】
次に、ディジタルカメラ２００のＣＰＵ２０２の基本動作を説明する。
（撮影モード）
ＣＰＵ２０２は、ユーザから撮影モードの設定指示が入力されると、ディジタルカメラ２００を撮影モードに移行させるべく、スルー画像用の画像信号の取得を開始するよう撮像部２１０へと指示を与え、それによって取得されたスルー画像用の画像信号を取り込み、画像処理を施してからＬＣＤパネル２０３へと送出する。これによって、ＬＣＤパネル２０３にスルー画像が表示される。
【００１９】
このスルー画像の表示中、ユーザから撮影条件の指定がなされると、それに応じてＣＰＵ２０２は、撮像部２０２の設定内容、画像処理の特性などを変更する。
また、スルー画像の表示中、ＣＰＵ２０２は、ディジタルカメラ２００の現状（設定中の撮影条件や電池残量など）を示す確認画像（例えばアイコン画像）を生成し、それをスルー画像に重畳させる。
【００２０】
また、スルー画像の表示中、ユーザから撮影指示が入力されると、ＣＰＵ２０２は、保存画像用の画像信号を取得するよう撮像部２１０へ指示を与え、それによって取得された保存画像用の画像信号を取り込み、画像処理を施してから保存画像の画像ファイルを作成する。
この際、ＣＰＵ２０２は、画像信号の取得時に設定されていた撮影条件などに基づき、画像ファイルの添付情報（撮影時の撮影条件、撮影日など）を作成し、それを画像ファイルと共にフラッシュメモリ２０９へ格納する。これによって、撮影が完了する。
（再生モード）
ＣＰＵ２０２は、ユーザから再生モードの設定指示が入力されると、ディジタルカメラ２００を再生モードに移行させるべく、フラッシュメモリ２０９に格納された画像ファイルを再生して再生画像用の画像信号を生成し、それをＬＣＤパネル２０３へ送出する。これによって、ＬＣＤパネル２０３に再生画像が表示される。
【００２１】
この際、ＣＰＵ２０２は、フラッシュメモリ２０９から、再生対象となった画像ファイルの添付情報（撮影時の撮影条件、撮影日など）を読み出し、その添付情報の少なくとも一部を示す確認画像（例えばテキスト画像）を生成し、それを再生画像上に重畳させる。
また、再生画像の表示中、ユーザからコマ送り指示が入力されると、ＣＰＵ２０２は、再生対象を別の画像ファイルに変更する。これによって、ＬＣＤパネル２０３上の再生画像及び確認画像が切り替わる（以上、再生モード）。
【００２２】
次に、撮影モードにおけるＣＰＵ２０２の表示制御を説明する。
図３は、撮影モードにおけるＣＰＵ２０２の表示制御の動作フローチャートである。図３に示すとおり、ＣＰＵ２０２は、撮影モード中、センサ２１２からの検出信号を参照し、ディジタルカメラ２００に外部表示装置（ここではＨＭＤ１００）が接続されているか否かを判別する（ステップＳ１２）。
【００２３】
外部表示装置（ここではＨＭＤ１００）が接続されていた場合（ステップＳ１２ＹＥＳ）、ＣＰＵ２０２は、スルー画像用の画像信号をビデオ信号に変換し、そのビデオ信号をコネクタ２１１から外部表示装置（ここではＨＭＤ１００）へ送出すると共に、ディジタルカメラ２００の現状（設定中の撮影条件や電池残量など）を示す確認画像を、ディジタルカメラ２００のＬＣＤパネル２０３へ表示させる（ステップＳ１３）。
【００２４】
つまり、ＣＰＵ２０２は、図４に示すとおり、スルー画像Ｉthroughの表示先と、確認画像Ｉinfoの表示先とを、外部表示装置（ここではＨＭＤ１００）とディジタルカメラ２００との一方及び他方へ個別に割り当てる。このように、スルー画像Ｉthroughの表示先と、確認画像Ｉinfoの表示先とを区別すれば、確認画像Ｉinfoの表示スペースを広く採れるので、ディジタルカメラ２００の現状（設定中の撮影条件や電池残量）を、主にテキスト画像によって詳細に表示することができる。
【００２５】
このとき表示される撮影条件は、例えば、図４に示すとおり、露光時間（シャッタースピード）、絞り値、撮影距離、マクロ撮影の設定の有無、ホワイトバランス設定の内容などである。また、図４には示さなかったが、フォーカスエリア、コントラスト、シャープネス、セルフタイマーの設定の有無、ストロボ発光の設定の有無などを加えてもよい。
一方、外部表示装置（ここではＨＭＤ１００）が接続されていなかった場合（ステップＳ１２ＮＯ）、ＣＰＵ２０２は、上述した基本動作と同様、スルー画像をＬＣＤパネル２０３へ表示すると共に、そのスルー画像上に、ディジタルカメラ２００の現状（設定中の撮影条件や電池残量など）を示す確認画像を重畳させる（ステップＳ１４）。
【００２６】
つまり、ＣＰＵ２０２は、図５に示すとおり、スルー画像Ｉthroughの表示先と、確認画像Ｉinfoの表示先とを、共にディジタルカメラ２００に割り当てる。この場合、確認画像Ｉinfoの表示スペースを広く採れないので、スルー画像Ｉthroughをなるべく遮らないよう、ディジタルカメラ２００の現状（設定中の撮影条件や電池残量）を、主にアイコン画像によって簡易的に表示することが望ましい。
【００２７】
その後、ＣＰＵ２０２は、ユーザから撮影指示が入力されると（ステップＳ１５）、撮影を行う（ステップＳ１６）。撮影の方法は、前述した基本動作と同じである。撮影後、ＣＰＵ２０２は、ステップＳ１２へ戻り、再び接続の有無を判別する。
次に、再生モードにおけるＣＰＵ２０２の表示制御を説明する。
図６は、再生モードにおけるＣＰＵ２０２の表示制御の動作フローチャートである。図６に示すとおり、ＣＰＵ２０２は、再生モード中、センサ２１２からの検出信号を参照し、ディジタルカメラ２００に外部表示装置（ここではＨＭＤ１００）が接続されているか否かを判別する（ステップＳ２２）。
【００２８】
外部表示装置（ここではＨＭＤ１００）が接続されていた場合（ステップＳ２２ＹＥＳ）、ＣＰＵ２０２は、画像ファイルを再生して得た再生画像用の画像信号をビデオ信号に変換し、そのビデオ信号をコネクタ２１１から外部表示装置（ここではＨＭＤ１００）へ送出すると共に、その再生ファイルの添付情報（撮影時の撮影条件、撮影日など）を示す確認画像を、ＬＣＤパネル２０３へ表示させる（ステップＳ２３）。
【００２９】
つまり、ＣＰＵ２０２は、図７に示すとおり、再生画像Ｉrecordの表示先と、確認画像Ｉinfoの表示先とを、外部表示装置（ここではＨＭＤ１００）とディジタルカメラ２００との一方及び他方へ個別に割り当てる。このように、再生画像Ｉrecordの表示先と、確認画像Ｉinfoの表示先とを区別すれば、確認画像Ｉinfoの表示スペースを広く採れるので、再生画像の添付情報（撮影時の撮影条件、撮影日など）を、主にテキスト画像によって詳細に表示することができる。
【００３０】
このとき表示される撮影条件は、例えば、図７に示すとおり、露光時間（シャッタースピード）、絞り値、撮影距離、ホワイトバランス設定の内容などである。また、添付情報にフォーカスエリア、コントラスト、シャープネス、セルフタイマーの設定の有無、ストロボ発光の設定の有無などが含まれる場合は、これらの情報を表示してもよい。
一方、外部表示装置（ここではＨＭＤ１００）が接続されていなかった場合（ステップＳ２２ＮＯ）、ＣＰＵ２０２は、上述した基本動作と同様、再生画像をＬＣＤパネル２０３へ表示すると共に、その再生画像上に、添付情報を示す確認画像を重畳して表示する（ステップＳ２４）。
【００３１】
つまり、ＣＰＵ２０２は、図８に示すとおり、再生画像Ｉrecordの表示先と、確認画像Ｉinfoの表示先とを、共にディジタルカメラ２００に割り当てる。この場合、確認画像Ｉinfoの表示スペースを広く採れないので、再生画像Ｉrecordをなるべく遮らないよう、添付情報（撮影時の撮影条件、撮影日など）を、主にアイコン画像によって簡易的に表示することが望ましい。
【００３２】
その後、ＣＰＵ２０２は、ユーザからコマ送り指示が入力されると（ステップＳ２５）、再生画像Ｉrecordを切り替える（ステップＳ２６）。切り替えの方法は、前述した基本動作と同じである。その後、ＣＰＵ２０２は、ステップＳ２２へ戻り、再び接続の有無を判別する。
以上、本システムのディジタルカメラ２００は、外部表示装置（ここではＨＭＤ１００）の接続状態に応じて制御内容を変化させる。
【００３３】
具体的に、ディジタルカメラ２００のＣＰＵ２０２は、撮影モード中、かつディジタルカメラ２００が外部表示装置（ここではＨＭＤ１００）に接続されている期間には、スルー画像Ｉthroughの表示先と、確認画像Ｉinfoの表示先とを、外部表示装置（ここではＨＭＤ１００）とディジタルカメラ２００との一方及び他方へ個別に割り当てるのに対し（図４参照）、ディジタルカメラ２００が外部表示装置（ここではＨＭＤ１００）に接続されていない期間には、スルー画像Ｉthroughの表示先と、確認画像Ｉinfoの表示先とを、共にディジタルカメラ２００に割り当てる（図５参照）。
【００３４】
したがって、本システムのユーザは、ディジタルカメラ２００を撮影モードに設定し、それを外部表示装置（ここではＨＭＤ１００）に接続するだけで、ディジタルカメラ２００と外部表示装置（ここではＨＭＤ１００）とを、情報表示装置と、ファインダとしてそれぞれ機能させることができる。また、本システムのユーザは、その接続を解除するだけで、ディジタルカメラ２００を情報表示装置及びファインダとして機能させることができる。
【００３５】
また、ディジタルカメラ２００のＣＰＵ２０２は、再生モード中、かつディジタルカメラ２００が外部表示装置（ここではＨＭＤ１００）に接続されている期間には、再生画像Ｉrecordの表示先と、確認画像Ｉinfoの表示先とを、外部表示装置（ここではＨＭＤ１００）とディジタルカメラ２００との一方及び他方へ個別に割り当てるのに対し（図７参照）、ディジタルカメラ２００が外部表示装置（ここではＨＭＤ１００）に接続されていない期間には、再生画像Ｉrecordの表示先と、確認画像Ｉinfoの表示先とを、共にディジタルカメラ２００に割り当てる（図８参照）。
【００３６】
したがって、本システムのユーザは、ディジタルカメラ２００を再生モードに設定し、それを外部表示装置（ここではＨＭＤ１００）に接続するだけで、ディジタルカメラ２００と外部表示装置（ここではＨＭＤ１００）とを、情報表示装置と画像再生装置としてそれぞれ機能させることができる。また、本システムのユーザは、その接続を解除するだけで、ディジタルカメラ２００を情報表示装置及び画像再生装置として機能させることができる。
【００３７】
なお、本システムでは、ディジタルカメラ２００とＨＭＤ１００とが通信を行わないが、通信を行ってもよい。その場合、ＨＭＤ１００とディジタルカメラ２００との双方に通信回路（例えば、ＵＳＢ規格に準拠する通信回路）が備えられる。さらに、その通信回路を無線通信回路（例えば、WirelessＵＳＢ規格に準拠する通信回路）とすれば、ディジタルカメラ２００とＨＭＤ１００とを無線で接続することができる。
【００３８】
因みに、通信回路を使用する場合、ディジタルカメラ２００のセンサ２１２を省略することもできる。その場合、ディジタルカメラ２００のＣＰＵ２０２は、通信プロトコルの確立の有無により、外部表示装置（ここではＨＭＤ１００）の接続の有無を認識すればよい。
また、ディジタルカメラ２００とＨＭＤ１００とが通信を行い、ディジタルカメラ２００のＣＰＵ２０２が外部表示装置（ここではＨＭＤ１００）の現状（設定中のカラーバランス、バックライト輝度、電池残量など）を認識できる場合、ＣＰＵ２０２は、上述したステップＳ１３（図３）にて表示する確認画像へ、外部表示装置（ここではＨＭＤ１００）の現状を反映させてもよい。また、その場合、ＣＰＵ２０２は、上述したステップＳ２３（図６）にて表示する確認画像へ、外部表示装置（ここではＨＭＤ１００）の現状を反映させてもよい。
【００３９】
また、本システムでは、ＨＭＤ１００に再生機能が搭載されなかったが、ＨＭＤ１００に再生機能が搭載されてもよい。その場合、ＨＭＤ１００の内部に画像ファイルを格納するメモリと、その画像ファイルを再生する再生回路とが備えられる。
また、このような再生機能がＨＭＤ１００に搭載される場合、ＨＭＤ１００からディジタルカメラ２００へと画像（画像信号又は画像ファイル）を送出させ、その画像を、前述した再生画像の代わりにディジタルカメラ２００のＬＣＤパネル２０３へ表示させてもよい。
【００４０】
また、本システムのディジタルカメラ２００は、外部表示装置（ここではＨＭＤ１００）が接続されているとき、スルー画像又は再生画像の表示先を外部表示装置（ここではＨＭＤ１００）へ割り当て、確認画像の表示先をディジタルカメラ２００へ割り当てたが、これら２つの表示先を反転させてもよい。反転させた場合、定点観測のように、ディジタルカメラ２００の撮影条件を変化させながら同じ構図で繰り返し撮影を行う場合に有効となる。なお、２つの表示先を反転させるか否かについては、ユーザが予め設定可能であることが望ましい。
【００４１】
［第２実施形態］
本発明の第２実施形態を説明する。本実施形態も、撮像システムの実施形態である。ここでは、第１実施形態との相違点のみ説明する。相違点は、撮影モードにおいて、ＣＰＵ２０２が、図３に示した表示制御に加えて、以下のレンズ制御を行う点にある。
図９は、撮影モードにおけるＣＰＵ２０２のレンズ制御の動作フローチャートである。図９に示すとおり、ＣＰＵ２０２は、撮影モード中、センサ２１２からの検出信号を参照し、ディジタルカメラ２００に外部表示装置（ここではＨＭＤ１００）が接続されているか否かを判別する（ステップＳ１２）。
【００４２】
外部表示装置（ここではＨＭＤ１００）が接続されていた場合（ステップＳ１２ＹＥＳ）、ＣＰＵ２０２は、ユーザによるマクロ撮影の設定の有無に拘わらず、撮影レンズ２０４のレンズポジションを、マクロ撮影用のレンズポジションに設定するよう撮像部２１０へ指示を与える（ステップＳ３３）。マクロ撮影用のレンズポジションは、撮影レンズ２０４の全体を、通常撮影用の配置位置よりも被写体側へシフトさせたものである。通常撮影用のレンズポジションでは、撮影レンズ２０４の合焦範囲が、「有限距離から無限遠方まで」となるのに対し、このマクロ撮影用のレンズポジションでは、撮影レンズ２０４の合焦範囲が、「前記有限距離より近方の有限距離から遠方の有限距離まで」となる。
【００４３】
一方、外部表示装置（ここではＨＭＤ１００）が接続されていなかった場合（ステップＳ１２ＮＯ）、ＣＰＵ２０２は、ユーザによるマクロ撮影の設定が無い限り（ステップＳ３１ＮＯ）、撮影レンズ２０４のレンズポジションを、通常撮影用のレンズポジションに設定するよう撮像部２１０へ指示を与える（ステップＳ３４）。ユーザによるマクロ撮影の設定が有れば（ステップＳ３１ＹＥＳ）、ステップＳ３３を実行する。
【００４４】
その後、ＣＰＵ２０２は、ユーザから撮影指示が入力されると（ステップＳ１５）、撮影を行う（ステップＳ１６）。撮影の方法は、前述したとおりである。撮影後、ＣＯＵ２０２は、ステップＳ１２へ戻り、再び接続の有無を判別する。
したがって、本システムのユーザは、ディジタルカメラ２００を撮影モードに設定し、それを外部表示装置（ここではＨＭＤ１００）に接続するだけで、ディジタルカメラ２００をマクロ撮影モードへ移行させることができる。また、本システムのユーザは、その接続を解除するだけで、ディジタルカメラ２００を通常撮影モードへ移行させることができる。
【００４５】
例えば、ユーザは、ディジタルカメラ２００で花を撮影するときなど、ディジタルカメラ２００を身体から離す。この場合、ディジタルカメラ２００のＬＣＤパネル２０３をファインダとして使用することは難しく、しかも、花とディジタルカメラ２００とを近接させる必要がある。そのような場合、本システムのユーザは、ディジタルカメラ２００にＨＭＤ１００を接続するだけで、何の設定も行うことなく、ＨＭＤ１００をファインダ代わりに使用したマクロ撮影を、即座に開始することができる。
【００４６】
ここで、本システムのディジタルカメラ２００は、ユーザがマクロ撮影を快適に行うため、図１０に示すように、被写体側の面に固定台４００を装着可能であることが望ましい。固定台４００は、マクロ撮影時の被写体とディジタルカメラ２００との距離を固定するスペーサの働きがあり、テーブル上に置いた本の文字を拡大して読むときなど、手ブレを防止できるので便利である。ディジタルカメラ２００に対する固定台４００の装着方法は、スライド式、ネジ込み式など各種の方法を採用することができる。
【００４７】
なお、本システムのディジタルカメラ２００は、撮影モード中に、上述したレンズ制御（図９）と、第１実施形態と同じ表示制御（図３）とを並列的に実行するが、表示制御については、従来と同様の表示制御であってもよい。因みに、従来と同様の表示制御は、次のとおりである。
ディジタルカメラ２００に外部表示装置（ここではＨＭＤ１００）が接続されている期間には、ＬＣＤパネル２０３にスルー画像と確認画像との双方を表示させると共に、それと同じ画像のビデオ信号を生成して外部表示装置へ送出する。一方、ディジタルカメラ２００に外部表示装置（ここではＨＭＤ１００）が接続されていない期間には、ＬＣＤパネル２０３にスルー画像と確認画像の双方を表示させ、ビデオ信号の生成及び送出は省略する。
【００４８】
［第３実施形態］
本発明の第２実施形態を説明する。本実施形態も、撮像システムの実施形態である。ここでは、第１実施形態との相違点のみ説明する。相違点は、システムの構成と、ＣＰＵ２０２の動作とにある。
先ず、システムの構成の相違点を説明する。
【００４９】
図１１に示すとおり、ＨＭＤ１００の右のヘッドホン１０２Ｒの外装部には、ディジタルカメラ２００を装着するホルダ４００が設けられる。そのホルダ４００の内部には、プラグ１００Ａが設けられる。一方、ディジタルカメラ２００には、前述したコネクタ２１１とは別に、プラグ１００Ａに適合するレセプタクル２００Ａが設けられる。
ディジタルカメラ２００がＨＭＤ１００のホルダ４００へ装着されると、レセプタクル２００Ａにプラグ１００Ａが差し込まれ、ディジタルカメラ２００とＨＭＤ１００とが電気的に接続される。なお、ディジタルカメラ２００の内部とレセプタクル２００Ａとの接続関係は、ディジタルカメラの内部とコネクタ２１１との接続関係（図２参照）と同じであり、ＨＭＤ１００の内部とプラグ１００Ａとの接続関係は、ＨＭＤ１００の内部とコネクタ３０１との接続関係（図２参照）と同じである。
【００５０】
ディジタルカメラ２００の内部には、レセプタクル２００Ａにプラグ１００Ａが差し込まれたか否かを検出するセンサ（第２センサ）が、前述したセンサ２１２とは別に設けられる（図示省略）。ディジタルカメラ２００のＣＰＵ２０２は、第２センサからの検出信号により、ディジタルカメラ２００がＨＭＤ１００のホルダ４００へ適切に装着されたか否かを認識する。
【００５１】
ここで、ホルダ４００による接続は、ケーブル３００による接続（図１参照）とは異なり、ディジタルカメラ２００とＨＭＤ１００とを互いに拘束する。よって、以下では、ケーブル３００による接続を「間接接続」と称し、ホルダ４００による接続を「直接接続」と称す。このうち間接接続は、ディジタルカメラ２００で画像の撮影を行うとき、構図の自由度を高めるので便利であり、直接接続は、ディジタルカメラ２００で画像の再生を行うとき、ユーザをハンズフリーにすることができるので便利である。
【００５２】
次に、ＣＰＵ２０２の動作の相違点を説明する。
本実施形態のＣＰＵ２０２は、撮影モードにおいて、図３に示した表示制御の代わりに以下の表示制御を行う。
図１２は、撮影モードにおけるＣＰＵ２０２の表示制御の動作フローチャートである。図１２に示すとおり、ＣＰＵ２０２は、撮影モード中、第２センサからの検出信号を参照し、ディジタルカメラ２００にＨＭＤ１００が直接接続されたか否かを判別する（ステップＳ４２）。
【００５３】
ＨＭＤ１００が直接接続されていた場合（ステップＳ４２ＹＥＳ）、ＣＰＵ２０２は、ユーザによるモード設定の内容に拘わらず、再生モードの動作を行う（ステップＳ４５）。  このステップＳ４５において、ＣＰＵ２０２は、ＬＣＤパネル２０３をオフすると共に、再生画像と確認画像との双方を表示するためのビデオ信号を生成し、それをレセプタクル２００ＡからＨＭＤ１００へ向けて送出する（ステップＳ４５１）。さらに、ユーザからコマ送り指示が入力されると（ステップＳ４５２ＹＥＳ）、ＣＰＵ２０２は、再生対象を別の画像ファイルに変更する（ステップＳ４５３）。その後、ＣＰＵ２０２は、ステップＳ４２へ戻り、再び直接接続の有無を判別する。
【００５４】
一方、ＨＭＤ１００が直接接続されていなかった場合（ステップＳ４２ＮＯ）、ＣＰＵ２０２は、撮影モードの動作を行う（ステップＳ４４）。
このステップＳ４４において、ＣＰＵ２０２は、スルー画像と確認画像との双方をＬＣＤパネル２０３上に表示させる（ステップＳ４４１）。但し、ＨＭＤ１００が間接接続されていた場合には（ステップＳ４４２ＹＥＳ）、それと同じ画像を表示するためのビデオ信号を生成し、それをコネクタ２１１からＨＭＤ１００へ向けて送出する（ステップＳ４４３）。さらに、ユーザから撮影指示が入力されると（ステップＳ４４４）、ＣＰＵ２０２は撮影を実行する（ステップＳ４４５）。その後、ＣＰＵ２０２は、ステップＳ４２へ戻り、再び直接接続の有無を判別する。
【００５５】
したがって、本システムのユーザは、ディジタルカメラ２００を撮影モードに設定していたとしても、ディジタルカメラ２００をＨＭＤ１００のホルダ４００へ装着するだけで、ディジタルカメラ２００を再生モードへ移行させることができる。また、本システムのユーザは、ホルダ４００からディジタルカメラ２００を外すだけで、ディジタルカメラ２００を再び撮影モードへ移行させることができる。
【００５６】
［その他］
なお、上述した各実施形態では、ディジタルカメラの表示素子としてＬＣＤを使用したが、他のタイプの表示素子を使用してもよい。また、上述した各実施形態では、ＨＭＤの表示素子としてＬＣＤを使用したが、他のタイプの表示素子を使用してもよい。
また、上述した各実施形態では、ディジタルスチルカメラを備えた撮像システムを説明したが、ビデオカメラを備えた撮像システムに変形することもできる。
【００５７】
また、上述した第１実施形態、第２実施形態では、ＨＭＤを備えた撮像システムを説明したが、ＨＭＤ以外の表示装置（携帯表示装置、非携帯表示装置など）を備えた撮像システムに変形することもできる。
【図面の簡単な説明】
【００５８】
【図１】撮像システムの全体構成図である。
【図２】撮像システムの機能ブロック図である。
【図３】第１実施形態の撮影モードにおけるＣＰＵ２０２の表示制御の動作フローチャートである。
【図４】スルー画像の表示先と確認画像の表示先とが分離された様子を示す図である。
【図５】スルー画像の表示先と確認画像の表示先とが一致した様子を示す図である。
【図６】第１実施形態の再生モードにおけるＣＰＵ２０２の表示制御の動作フローチャートである。
【図７】再生画像の表示先と確認画像の表示先とが分離された様子を示す図である。
【図８】再生画像の表示先と確認画像の表示先とが一致した様子を示す図である。
【図９】第２実施形態の撮影モードにおけるＣＰＵ２０２のレンズ制御の動作フローチャートである。
【図１０】固定台４００が装着されたディジタルカメラ２００の様子を示す斜視図である。
【図１１】第３実施形態の撮像システムの全体構成図である。
【図１２】第３実施形態の撮影モードにおけるＣＰＵ２０２の表示制御の動作フローチャートである。
【符号の説明】
【００５９】
１００…ＨＭＤ，２００…ディジタルカメラ，２０１…操作釦，２０３…ＬＣＤパネル，１０１…表示ユニット，１０２Ｌ，１０２Ｒ…ヘッドホン，１０４…サイドアーム，１０３…ヘッドバンド，３００…ケーブル
【図１】
2008034908.tif 000003
【図２】
2008034908.tif 000004
【図３】
2008034908.tif 000005
【図４】
2008034908.tif 000006
【図５】
2008034908.tif 000007
【図６】
2008034908.tif 000008
【図７】
2008034908.tif 000009
【図８】
2008034908.tif 000010
【図９】
2008034908.tif 000011
【図１０】
2008034908.tif 000012
【図１１】
2008034908.tif 000013
【図１２】
2008034908.tif 000014